(57)【特許請求の範囲】
【請求項１】
本発明は、複数の広告クライアントがそれぞれ保有するクライアント側コンピュータ、及び、広告対象となる広告サイト側コンピュータと、複数の広告閲覧者がそれぞれ保有する閲覧者側コンピュータが、通信ネットワークを介してそれぞれ広告会社コンピュータに接続された環境にて、
広告クライアントから広告会社コンピュータに対し広告申込された広告サイトに対し、広告閲覧者が広告成果を出した場合に広告会社コンピュータから発行するポイント、または同等の対価を支払うインセンティブ形式で広告仲介を行う、広告システムにおいて、
上記広告会社コンピュータは、
広告クライアントからのナビゲーション用タグ取得要求に対し、ナビゲーション用タグを出力する手段と、
広告クライアントからの広告申請された少なくとも広告サイトＵＲＬと成果数を含む広告データに対し、少なくとも広告識別コードを発行し広告データに関連づけて記憶保存する広告データ記憶手段と、
閲覧者側コンピュータからのフレームを利用した行動追跡型広告ナビゲーションプログラムの出力要求に対し、広告データ記憶手段に保存された広告データから、適当な広告サイトＵＲＬデータを順次読み出し、フレームを利用した行動追跡型広告ナビゲーションプログラムに広告サイトＵＲＬを設定し出力する手段と、
閲覧者側コンピュータに出力された、広告サイトに組み込まれたナビゲーション用タグからのナビゲーション用プログラム取得要求に対し、ナビゲーション用プログラムを出力する手段と、
閲覧者側コンピュータに出力された、フレームを利用した行動追跡型広告ナビゲーションプログラムから、広告サイトでの閲覧者の行動内容を受信する手段と、
閲覧者の行動内容に応じて、閲覧者にインセンティブを発生させる手段と、
閲覧者の行動内容に応じて、広告データ記憶手段に保存された当該広告データの成果数を減算する手段と、
閲覧者の行動内容に応じて、次のナビゲーション支持、及び、インセンティブ結果を出力する手段と、
を備えることを特徴とするフレームを利用した行動追跡型広告ナビゲーションシステム。
【請求項２】
前記閲覧者から会員登録申請された少なくとも閲覧者を特定可能なデータを含む会員データに対し、少なくとも会員識別コードを発行し会員データに関連づけて記憶保存する構造をさらに備える請求項１に記載のフレームを利用した行動追跡型広告ナビゲーションシステム。
【請求項３】
前記会員データに対し、少なくとも広告会社コンピュータが発行するポイントを、会員識別コードに関連づけて記憶保存する構造をさらに備える請求項１に記載のフレームを利用した行動追跡型広告ナビゲーションシステム。
【請求項４】
前記少なくとも請求項２の会員識別コードを含む、前記閲覧者の広告サイトでの行動内容を受信し、行動の対価として広告会社コンピュータからポイントを発行し、セッション記憶手段に保存された会員識別コードより会員データに関連づけてポイントを加算し記憶保存する構造をさらに備える請求項１に記載のフレームを利用した行動追跡型広告ナビゲーションシステム。
【請求項５】
前記少なくとも請求項１の広告サイトＵＲＬと成果数を含む広告申請内容に、段階的なナビゲーション設定、及び、段階的なコンバージョン発生設定を加え、少なくとも広告識別コードを発行し広告データに関連づけて記憶保存する構造をさらに備える請求項１に記載のフレームを利用した行動追跡型広告ナビゲーションシステム。
【請求項６】
前記少なくとも請求項５の広告データ記憶手段に保存された、段階的なナビゲーション設定、及び、段階的なコンバージョン発生設定と、閲覧者行動内容を照合し、ナビゲーション指示を出力する構造さらに備える請求項１に記載のフレームを利用した行動追跡型広告ナビゲーションシステム。
【請求項７】
前記請求項１で出力する、フレームを利用した行動追跡型広告ナビゲーションプログラムに、広告サイト行動と連動するゲーム性を加え出力する構造さらに備える請求項１に記載のフレームを利用した行動追跡型広告ナビゲーションシステム。
【請求項８】
前記請求項１のナビゲーション用プログラムに、広告サイト内のＤＯＭを操作し、広告サイト内でのナビゲーション指示、または、広告会社側コンピュータから提供される、閲覧者がインセンティブ発生可能なコンテンツを出力する構造さらに備える請求項１に記載のフレームを利用した行動追跡型広告ナビゲーションシステム。
【発明の詳細な説明】
【技術分野】
【０００１】
本発明は、複数の広告クライアントがそれぞれ保有するクライアント側コンピュータ、及び、広告対象となる広告サイト側コンピュータと、複数の広告閲覧者がそれぞれ保有する閲覧者側コンピュータが、通信ネットワークを介してそれぞれ広告会社コンピュータに接続された環境において、広告クライアントから広告会社コンピュータに対し広告申込された広告サイトに対し、広告閲覧者が広告成果を出した場合に広告会社コンピュータから発行するポイント、または同等の対価を支払うインセンティブ形式で広告仲介を行う、広告システムに関するものである。
【背景技術】
【０００２】
広告閲覧者が広告成果を出した場合に広告会社コンピュータから発行するポイント、または同等の対価を支払うインセンティブ形式で広告仲介を行う広告システムには代表的なものにポイントサイトがある。
ポイントサイトは、ポイントサイト会員が広告に対し、広告主が定めた成果を発生させた場合に、対価としてポイント、または同等の対価を会員に支払う、インセンティブ形式で広告仲介を行っている（図２）。
【０００３】
しかし、今までのインセンティブ形式広告は、広告閲覧者がインセンティブを受け取るための成果条件表示部分と広告サイトが分離されてしまっていたため、広告閲覧者が成果条件を理解し難い、クライアントが複雑な広告成果条件を設定し難い欠点があった（図３）。
【０００４】
インセンティブ形式広告において、この欠点は大きな障害である。
具体的には、複雑な広告成果条件によって、閲覧者に混乱と不利益を発生させる問題があった（図３）。
また、この問題により、閲覧者と広告提供者側とのトラブルが頻繁に発生している。
また、この問題により閲覧者、広告主がサービス利用停止してしまうケース、売り上げが減少してしまう問題も発生している。
【先行技術文献】
【非特許文献】
【０００５】
【非特許文献１】http://traffic-exchange.tv/  出願後、当該サイトにてこの特許出願に関するサービスを公開予定（2013年11月中旬）
【発明の概要】
【発明が解決しようとする課題】
【０００６】
解決しようとする問題点は、広告会社コンピュータ側に出力されるインセンティブ形式広告の広告成果条件情報と、広告成果条件を実際に満たすためのクライアント側広告サイトが分離している点である。
【課題を解決するための手段】
【０００７】
本発明は、フレームの他サイトに移動しても親フレームは移動しない特異点を利用し、広告会社側サイトフレームからクライアント側広告サイトを出力し、クライアント側広告サイトでの閲覧者の行動を追跡、当該追跡結果により広告成果条件を広告会社側サイトフレームからリアルタイムにナビゲーション可能とすることで複雑な広告成果条件を簡易化し、行動追跡結果をリアルタイムに活用することで、今までの問題点を解消し、今までにない広告成果条件を可能とした、新型インセンティブ形式広告を実現することを最も主要な特徴とする（図５）。
【発明の効果】
【０００８】
本発明と従来のインセンティブ形式広告を比較した場合、図３の問題を解消できる利点がある。
また、各広告関係者に下記の利点が発生する。
[広告クライアント]
１．行動追跡結果をリアルタイムに活用することで、今までにない広告成果条件が可能となる利点がある。
２．複雑な広告成果条件を部分的に分け、細かく閲覧者に指示できる利点がある。
３．閲覧者が広告サイト内に掲載されている他サイトリンクに移動した場合でも、フレームにより広告サイトに戻るよう指示することができる利点がある。
４．広告閲覧者との広告成果条件認識違いによるトラブルを軽減することができる利点がある。
[広告閲覧者]
１．今までにない広告成果条件が増えることで収益が向上する利点がある。
２．複雑な広告成果条件を覚えることなく、ナビゲーションの指示に従うだけで広告成果条件を満たせる利点がある。
３．広告クライアントとの広告成果条件認識違いによるトラブルを軽減することができる利点がある。
[広告会社]
１．今までにない広告成果条件を可能とした新サービスを広告クライアントと広告閲覧者に提供できる利点がある。
２．広告成果条件認識違いによる閲覧者や広告クライアントそれぞれとのトラブルを軽減することができる利点がある。
【図面の簡単な説明】
【０００９】
【図１】フレームを利用した行動追跡型広告ナビゲーションシステムの全体と概要
【図２】従来のインセンティブ形式での広告仲介
【図３】本発明と従来インセンティブ形式広告との対比
【図４】フレームを利用した行動追跡型広告ナビゲーションシステムへの広告登録及び広告料金支払画面例
【図５】フレームを利用した行動追跡型広告ナビゲーションインターフェイス例
【図６】図５-Ｆ１、分割フレームプログラムの例
【図７】図５-Ｆ２、クロスドメインな広告サイトからのメッセージ取得プログラムの例
【図８】図５-Ｆ３、ナビゲーションタグで呼び出される、クロスドメインな広告会社コンピュータへのメッセージ送信、及び、閲覧者行動追跡プログラムの例
【図９】フレームを利用した行動追跡型広告ナビゲーション、各フレーム動作例
【図１０】ポイント購入画面例
【図１１】会員登録画面例
【図１２】会員ログイン画面例
【図１３】実施例：会員登録部
【図１４】実施例：会員専用管理画面ログイン部
【図１５】実施例：広告配信設定部
【図１６】実施例：フレームを利用した行動追跡型広告ナビゲーションシステムでの広告配信部
【図１７】広告データリスト
【図１８】会員データリスト
【図１９】従来インセンティブ形式広告の問題例
【発明を実施するための形態】
【００１０】
図１は、本発明にかかるフレームを利用した行動追跡型広告ナビゲーションシステムによる広告配信方法を実施するネットワークシステムの一実施形態を示す図である。
図１-１．広告クライアントは、広告クライアント側コンピュータから、広告会社コンピュータに対し、ナビゲーション用タグの取得要求送信を送信する。
図１-２．広告会社コンピュータは、広告クライアント側コンピュータのナビゲーション用タグ取得要求に対し、当該タグを出力送信する。
図１-３．広告クライアントは、ブラウザに表示されたナビゲーション用タグ（図４−１）を、広告サイト側コンピュータの適当な箇所に全て組み込む。
図１-４．広告クライアントは、広告クライアント側コンピュータから、広告会社コンピュータに対し、少なくとも広告サイトＵＲＬと成果数の登録要求（図４-２）と、広告料金を支払う（図４-３）事で、広告会社コンピュータに対し広告配信要求を送信する。
図１-５．広告会社コンピュータは、受信した広告データを識別するため、少なくとも広告識別コードを発行し、広告識別コードと関連づけて広告データを記憶保存する（図１７）。
上記広告データを記憶保存する際、広告クライアントが広告会社コンピュータの会員である場合、さらに会員識別コードを広告データに関連付け記憶保存する広告データ記憶手段を備える（図１７）。
上記広告データを記憶保存する際、広告料金の入金が確認できた場合、さらに配信可否識別コードを広告データに関連付け記憶保存する広告データ記憶手段を備える（図１７）。
図１-６．閲覧者は、閲覧者側コンピュータから、広告会社コンピュータに対し、フレームを利用した行動追跡型広告ナビゲーションプログラム表示要求を送信する。
図１-７．広告会社コンピュータは、フレームを利用した行動追跡型広告ナビゲーションプログラム表示要求に応じて、広告データを広告データ記憶手段からランダムに１件読み出す。
図１-８．広告会社コンピュータは、上記読み出された広告データの広告サイトＵＲＬを、フレームを利用した行動追跡型広告ナビゲーションプログラムに設定し出力送信する（図６）。
図１-９．閲覧者側コンピュータは、フレームを利用した行動追跡型広告ナビゲーションプログラムを受信し出力する（図６、図５-Ｆ１、図５-Ｆ２）。
図１-１０．閲覧者側コンピュータに出力されたフレームを利用した行動追跡型広告ナビゲーションプログラムは、フレームに設定された広告ＵＲＬに対し、広告サイト表示要求を送信する。
図１-１１．広告サイト側コンピュータは、受信した広告サイト表示要求に応じ、ナビゲーション用タグを組み込んだ広告サイトを出力送信する。
図１-１２．閲覧者側コンピュータは、受信した広告サイトを当該フレームに出力する（図５-Ｆ３）。
この時、広告サイト上に出力されたナビゲーション用タグは、広告サイト内の必要なDOMの全てに対し、閲覧者行動内容を広告会社コンピュータ側フレームに送信するための、window.postMessageメソッドを適用する（図８）。
図１-１３．閲覧者側コンピュータに表示された広告サイトは、閲覧者の広告サイト表示やクリック等の行動結果を、広告サイト内に適用されたwindow.postMessageメソッドから、広告会社コンピュータ側フレームに行動内容を受け渡しする（図７）。
図１-１４．広告会社コンピュータ側フレームはwindow.postMessageメソッドから送信された行動結果を受信し、Ajaxで行動結果を広告会社コンピュータに送信する（図７）。
図１-１５．広告会社コンピュータは、受信した行動結果に対し、成否判定、及び、成果と判定した場合、成果数減算処理を実行する。
また、成否判定が正の場合、閲覧者に対しインセンティブ付与処理を実行する。
図１-１６．広告会社コンピュータは、上記成否判定から、獲得インセンティブデータや、指示データ等のナビゲーション指示データを送信する。
図１-１７．閲覧者側コンピュータは、当該Ajaxの実行結果としてナビゲーション支持データを受信し、広告会社コンピュータ側フレームから出力する（図５-Ｓ２、図５-Ｓ３）。
以降図１-１３に戻り、図１-１３〜図１-１７を広告データリストに割当られた成果数がなくなるまで繰り返す。
【実施例】
【００１１】
図１３は、本発明にかかるネットワークシステムの一実施形態、フレームを利用した行動追跡型広告ナビゲーションシステム利用のための会員登録部を示す図である。
図１３-１-１及び図１３-１-２．複数の広告クライアントがそれぞれ保有するクライアント側コンピュータと、複数の広告閲覧者がそれぞれ保有する閲覧者側コンピュータが、通信ネットワークを介してそれぞれ広告会社コンピュータに接続された環境において、広告クライアント及び広告閲覧者は広告会社コンピュータに会員登録画面表示要求を送信する。
図１３-２．広告会社コンピュータは、会員登録画面表示要求を受信する。
図１３-３．広告会社コンピュータは、会員登録画面表示要求に応じ、会員登録画面を出力送信する（図１１）。
図１３-４-１、及び、図１３-４-２．広告クライアント、または、広告閲覧者は、会員登録のため、少なくともメールアドレスとパスワードを会員登録画面に入力し、広告会社コンピュータに会員登録要求を送信する。
図１３-５．広告会社コンピュータは、会員登録要求から受信したメールアドレスとパスワードを、少なくとも会員データ識別コードを自動生成し、会員データとして記憶保存し会員登録を完了する（図１８）。
図１３-６．広告会社コンピュータは、少なくとも会員専用画面にログインするためのログインＩＤ、ログインパスワードを含む、会員登録完了通知を当該会員登録要求送信元コンピュータに会員登録完了通知を送信する。
図１３-７-１、及び、図１３-７-２．広告クライアント、または、広告閲覧者は、会員登録完了通知を受信することで会員登録部の一連の流れが完了する。
【００１２】
図１４は、本発明にかかるネットワークシステムの一実施形態、フレームを利用した行動追跡型広告ナビゲーションシステム利用のための会員専用画面へのログイン部を示す図である。
図１４-１．複数の会員がそれぞれ保有する会員側コンピュータが、通信ネットワークを介してそれぞれ広告会社コンピュータに接続された環境において、会員は広告会社コンピュータにログイン画面表示要求を送信する。
図１４-２．広告会社コンピュータは、ログイン画面表示要求を受信する。
図１４-３．広告会社コンピュータは、ログイン画面表示要求に応じ、ログイン画面を出力送信する。
図１４-４．会員は、少なくともログインＩＤとログインパスワードをログイン画面に入力し、広告会社コンピュータに会員専用画面アクセスへの要求を送信する（図１２）。
図１４-５．広告会社コンピュータは、受信した会員専用画面アクセス要求から、会員データ記憶手段に記憶保存された会員データを順次読み出し、ログインＩＤ、及び、ログインパスワードを照合する。
図１４-６．広告会社コンピュータは、当該照合結果を正とした場合、当該会員専用画面アクセス要求に対し、会員専用画面を出力送信する。
図１４-７．会員側コンピュータは、会員専用画面を受信し出力する。
【００１３】
図１５は、本発明にかかるネットワークシステムの一実施形態、フレームを利用した行動追跡型広告ナビゲーションシステムに広告を配信設定するための、広告配信設定部を示す図である。
図１５-１．広告クライアントは、広告クライアント側コンピュータから、広告会社コンピュータに対し、ナビゲーション用タグの取得要求を送信する。
図１５-２．広告会社コンピュータは、広告クライアント側コンピュータのナビゲーション用タグ取得要求に対し、当該タグを出力送信する。
図１５-３．広告クライアント側コンピュータは、ナビゲーション用タグ（図４−１）を受信し、出力する。
図１５-４．広告クライアントは、ナビゲーション用タグ（図４−１）を、広告サイト側コンピュータの必要な箇所に全て組み込む。
図１５-５．広告サイト側コンピュータは、ナビゲーション用タグ（図４−１）が必要な箇所に全て組み込まれることで広告配信準備が完了する。
図１５-６．広告クライアントは、広告クライアント側コンピュータから、広告会社コンピュータに対し、広告配信登録画面出力要求を送信する。
図１５-７．広告会社コンピュータは、広告クライアント側コンピュータからの広告配信登録画面出力要求に応じ、広告配信登録画面を出力送信する。
図１５-８．広告クライアントは、広告クライアント側コンピュータで受信出力した広告配信登録画面（図４-２）から、広告会社コンピュータに対し、少なくとも広告URLと成果数の登録要求と、成果数に対する広告料金を支払う（図４-３）事で、広告会社コンピュータに対し広告配信要求を送信する。
図１５-９．広告会社コンピュータは、広告登録要求から取得した広告データを識別するため、少なくとも広告識別コードを発行し、広告識別コードと関連づけて広告データを記憶保存する（図１７）。
上記広告データを記憶保存する際、広告クライアントが広告会社コンピュータの会員である場合、さらに会員識別コードを広告データに関連付け記憶保存する広告データ記憶手段を備える（図１７）。
図１５-１０．広告会社コンピュータは、当該広告を登録後、成果数から広告料金を算出し、広告料金支払い方法画面を出力送信する。
図１５-１１．広告クライアントは、広告クライアント側コンピュータで受信出力された広告料金支払い方法画面から、広告料金を支払い、広告会社コンピュータに対し、少なくとも広告識別コードを含む広告料金入金完了通知を送信する。
図１５-１２．広告会社コンピュータは、当該広告データへの広告料金入金完了通知を受信する。
図１５-１３．広告会社コンピュータは、広告データ記憶手段に保存された広告データから、当該入金通知に含まれる広告識別コードに該当する広告データを読み出し、配信可否データを配信可に変更し保存する。
図１５-１４．広告会社コンピュータは、当該手順を完了した場合、広告配信設定完了通知を送信する。
図１５-１５．広告クライアントは、広告クライアント側コンピュータから受信した広告配信設定完了通知を受け取り、広告配信設定完了する。
【００１４】
図１６は、本発明にかかるネットワークシステムの一実施形態、フレームを利用した行動追跡型広告ナビゲーションシステムでの広告配信部を示す図である。
以下、閲覧者は会員登録部（図１３）、会員専用管理画面ログイン部（図１４）、の操作を実行した後の操作とする。
尚、広告側の広告成果は広告サイト内リンクをクリックされるごとに成果数が１件減算されるものとしている（図１７）。
また、閲覧者側の成果報酬は広告サイト内リンクをクリックするごとに１ポイントの報酬が閲覧者に入るものとしている（図１８）。
図１６-１．閲覧者は、閲覧者側コンピュータから、広告会社コンピュータに対し、フレームを利用した行動追跡型広告ナビゲーションプログラムの表示要求を送信する。
図１６-２．広告会社コンピュータは、フレームを利用した行動追跡型広告ナビゲーションプログラム表示要求に応じ、広告データ記憶手段に保存された広告データをランダムに１件読み出す（図１７）。
図１６-３．広告会社コンピュータは、読み出された広告データの広告サイトＵＲＬをフレームを利用した行動追跡型広告ナビゲーションプログラムに設定し（図６）、当該表示要求に対し、フレームを利用した行動追跡型広告ナビゲーションプログラムを出力送信する（図６、図７）。
図１６-４．閲覧者側コンピュータは、フレームを利用した行動追跡型広告ナビゲーションプログラムを受信し出力する。
図１６-５．閲覧者側コンピュータは、出力と同時に行動追跡型広告ナビゲーションプログラムに設定された広告サイトＵＲＬに対し、広告サイト表示要求を送信する。
図１６-６．広告サイト側コンピュータは、受信した広告サイト表示要求に応じ、ナビゲーション用タグを組み込んだ（図８）、サイト内容を出力送信する。
図１６-７．閲覧者側コンピュータは、広告サイトを受信し、フレームを利用した行動追跡型広告ナビゲーションプログラムと共に出力する（図５）。
この時、広告サイト上に出力されたナビゲーション用タグは、クロスドメインな広告会社コンピュータへのメッセージ送信、及び、閲覧者行動追跡プログラム（図８）を実行し、広告サイト内の必要なDOMの全てに対し、閲覧者行動内容を広告会社コンピュータ側フレームに送信するための、window.postMessageメソッドを適用する。
図１６-８．閲覧者が、フレームを利用した行動追跡型広告ナビゲーションプログラムに表示された広告サイト（図５−Ｆ３）内のwindow.postMessageメソッドが適用されたリンクをクリックした場合（図５−Ｓ４）、クリック先ＵＲＬを、広告会社側フレーム（図５−Ｆ２）にwindow.postMessageメソッドを使用し受け渡す。
図１６-９．広告会社側フレーム（図５−Ｆ２）は、当該window.postMessageメソッドから受け渡されたクリック先ＵＲＬを受け取り（図７）、originでクリック先URLをの正否判断し、正の場合Ajax通信で広告会社側コンピュータに行動結果としてクリック先ＵＲＬを送信する。
図１６-１０．広告会社側コンピュータは、受信したクリック先ＵＲＬを分解しドメインを抽出、広告データ記憶手段に保存された広告ＵＲＬに当該ドメインが含まれる場合、当該広告データの成果数を１減算する。
また、閲覧者会員ログイン時にセッション記憶手段に保存された会員識別コードから、会員識別コードに該当する会員データ記憶手段に保存された会員データを順次読み出し、当該ポイントデータに対し、１ポイント加算し保存する。
図１６-１１．広告会社側コンピュータは、広告成果結果として上記ポイント加算後のポイントデータと、次の支持を出力送信する。
この時、当該広告データの成果数が0になった場合、広告終了の支持を出力送信する。
図１６-１２．閲覧者側コンピュータは、Ajax通信の結果として上記加算されたポイントデータと支持を取得し、広告会社側フレームに出力する（図５−Ｓ２、図５−Ｓ３）。
以降、広告データに設定された成果数が０になるまで図１６-８から図１６-１２を繰り返す。
【産業上の利用可能性】
【００１５】
フレームを利用した行動追跡型広告ナビゲーションシステムは、会員、非会員を問わず、広告クライアントからの広告データ申し込み、及び、閲覧者による広告データ閲覧がされてもよい。
フレームを利用した行動追跡型広告ナビゲーションシステムでの広告は、広告サイトＵＲＬ以外にも、フレームと連動できるものならば、画像やPDFファイル等でもよい。
フレームを利用した行動追跡型広告ナビゲーションシステムは、広告成果を広告主側が定めることができる。
フレームを利用した行動追跡型広告ナビゲーションシステムは、広告成果を広告会社側が定めることができる。
フレームを利用した行動追跡型広告ナビゲーションシステムは、広告サイト内の閲覧者行動によって展開するゲームを設置できる。
フレームを利用した行動追跡型広告ナビゲーションシステムは、ポイントシステムを持たない広告サイトをポイントサイト化できる。
フレームを利用した行動追跡型広告ナビゲーションシステムは、広告サイト行動とゲームを連動することができる。
フレームを利用した行動追跡型広告ナビゲーションシステムは、閲覧者行動結果を広告会社側コンピュータで蓄積し分析、広告主に行動分析結果を報告することができる。
フレームを利用した行動追跡型広告ナビゲーションシステムは、今までにない広告方法を実現できる。
（例：広告サイト内リンクをクリックするごとにインセンティブ発生、広告サイト内での行動連動型ゲーム等）
行動結果を非同期通信で広告会社コンピュータに送信元は、広告会社側フレーム以外にも、広告サイト側から送信してもよい。
【要約】
【課題】インセンティブ形式広告における、閲覧者側からの成果条件表示部分と広告サイトの分離から発生する問題を解消する。
【解決手段】クロスドメインでのデータ受信が可能なプログラムが埋め込まれた広告会社側フレーム（Ｆ２）とクロスドメインでのデータ送信、及び、閲覧者の行動追跡プログラムが埋め込まれた広告サイト側フレーム（Ｆ３）を同時に出力（Ｆ１）し、閲覧者の広告サイトでの行動を、広告サイト内の行動追跡プログラムが取得し、クロスドメインを超えて広告会社側フレーム（Ｆ２）に受け渡し、広告会社側フレームから広告会社コンピュータへ非同期通信により閲覧者行動内容を送信し、閲覧者行動内容に対して適切なインセンティブ処理、及び、ナビゲーション指示を選択し、インセンティブ処理結果、及び、ナビゲーション指示を返し、広告会社側フレームからインセンティブ処理結果、及び、ナビゲーション指示を受信し出力する。
【選択図】図５【図１】
0005555833.tif 000002
【図２】
0005555833.tif 000003
【図３】
0005555833.tif 000004
【図４】
0005555833.tif 000005
【図５】
0005555833.tif 000006
【図６】
0005555833.tif 000007
【図７】
0005555833.tif 000008
【図８】
0005555833.tif 000009
【図９】
0005555833.tif 000010
【図１０】
0005555833.tif 000011
【図１１】
0005555833.tif 000012
【図１２】
0005555833.tif 000013
【図１３】
0005555833.tif 000014
【図１４】
0005555833.tif 000015
【図１５】
0005555833.tif 000016
【図１６】
0005555833.tif 000017
【図１７】
0005555833.tif 000018
【図１８】
0005555833.tif 000019
【図１９】
0005555833.tif 000020